(57)【要約】      （修正有）【課題】特定の車両の存在を検知することのできる車両用通信方法を提供する。【解決手段】各々の車両が識別コードを備えている車両用の通信方法である。通信方法は、１つの車両から別の車両の識別コードを検知し、この識別コードを少なくとも１つの特定の記憶された識別コードと比較するステップｂ）；ステップｂ）で行った比較が肯定的である場合に信号を伝送するステップｃ）を包含する。  車両用の通信システムは、各々が対応する車両に設置される複数のユニットを包含し、各ユニットが、複数のユニットのうちの他のユニット及び少なくとも１つのコントロールセンターと通信することができ、各ユニットが、１〜１０ＧＨｚの周波数帯で作動する無線通信手段を含み、さらに車両の所在地のために、別の車両のユニットによって自動的に検知される識別コードを備えている。【選択図】なし【特許請求の範囲】
【請求項１】
各々の車両が識別コードを備えている、車両用の通信方法において、
１つの車両から別の車両の識別コードを検知し、この識別コードを少なくとも１つの特定の記憶された識別コードと比較するステップｂ）；
ステップｂ）で行った比較が肯定的である場合に信号を伝送するステップｃ）
を包含することを特徴とする通信方法。
【請求項２】
請求項１記載の通信方法において、前記ステップｃ）が、コントロールセンターへ信号を送ることから成ることを特徴とする通信方法。
【請求項３】
請求項１記載の通信方法において、前記ステップｃ）が、少なくとも１つの特定の記憶された識別コードに対応する車両のための起動信号を送ることから成ることを特徴とする通信方法。
【請求項４】
請求項１ないし３のいずれか１項に記載の通信方法において、
少なくとも１つの特定の識別コードを受け取り記憶するステップａ）
を包含することを特徴とする通信方法。
【請求項５】
請求項１ないし４のいずれか１項に記載の通信方法において、前記ステップｃ）が、前記少なくとも１つの特定の記憶された識別コードに一致する識別コードを有する前記車両の位置を信号送信するステップｄ）を含むことを特徴とする通信方法。
【請求項６】
請求項１ないし５のいずれか１項に記載の通信方法において、
前記少なくとも１つの特定の記憶された識別コードに一致する識別コードを有する車両における位置指示器を起動するステップｅ）
を包含することを特徴とする通信方法。
【請求項７】
請求項１ないし６のいずれか１項に記載の通信方法において、
前記少なくとも１つの特定の記憶された識別コードに一致する識別コードを有する車両の位置のシーケンスをトレースするステップｆ）
を包含することを特徴とする通信方法。
【請求項８】
各々が対応する車両に設置される複数のユニットを包含し、各ユニットが、複数のユニットのうちの他のユニット及び少なくとも１つのコントロールセンターと通信することができる、車両用の通信システムにおいて、各ユニットが、１〜１０ＧＨｚの周波数帯で作動する無線通信手段を含み、各ユニットが、車両の所在地のために、別の車両のユニットによって自動的に検知される識別コードを備えていることを特徴とする通信システム。
【請求項９】
請求項８記載のシステムにおいて、前記無線通信手段が低消費電力で、１０ｍＷ以下の電力で作動することを特徴とするシステム。
【請求項１０】
請求項９記載のシステムにおいて、前記無線通信手段が、近くにいる別の車両の識別コードを自動的に検知できることを特徴とするシステム。
【発明の詳細な説明】
【技術分野】
【０００１】
本発明は、車両用の通信方法及びシステムに関する。
【背景技術】
【０００２】
今日、車両は、「全地球測位システム」（ＧＰＳ）によって位置を検知できる盗難防止システムを備えることができる。
【０００３】
この測位システムに基づいて、１つ以上の衛星によって、盗まれた車両の位置を検知し、それによって車両の所在地を認めることは、実際に可能である。
【０００４】
しかしながら、これは、車両の位置をコントロールセンターへ信号送信することができる車両の実現性に依存する。
【０００５】
これらの盗難防止システムの１つの欠点は、信号を隔離する装置によって、盗まれた車両がコントロールセンターの検出システムへ車両の位置を信号送信又は伝送することを阻止される可能性があることである。
【０００６】
これは、単に、例えば用語「妨害器」で一般に知られた装置の一種であり得る絶縁装置を、盗まれた車両の近傍あるいはその内部に配置することにより、可能となる。
【発明の開示】
【発明が解決しようとする課題】
【０００７】
本発明の目的は、特定の車両の存在を検知することができる車両用の通信方法及びシステムを提供することにある。
【０００８】
他の目的は、特定の車両の存在あるいは位置を検知し信号送信することができる車両用の通信方法及びシステムを提供することにある。
【課題を解決するための手段】
【０００９】
本発明によれば、これらの目的は、請求項１に記載された車両用の通信方法及びシステムを提供することにより、達成される。
【００１０】
本発明の更なる特徴は、従属する請求項に記載されている。
【発明を実施するための最良の形態】
【００１１】
本発明による車両用の通信方法及びシステムの特徴及び利点は、本発明の非限定的な例でなされた下記説明から明らかとなるであるろう。
【００１２】
本発明によれば、通信方法は、各々が車両の識別を可能にする識別コードを与えられている車両のために提供される。
【００１３】
通信方法は、１つの車両から、近くにいる別の車両の識別コードを検知し、この識別コードを、少なくとも１つの特定の記憶された識別コードと比較するステップｂ）を包含する。
【００１４】
通信方法は、好適には、次のステップ、すなわち、
ステップｂ）の比較が肯定的である場合に信号を伝送するステップｃ）
を包含する。
【００１５】
好適には、前記ステップｃ）は、警告信号をコントロールセンターへ送ることから成る。
【００１６】
好適には、前記ステップｃ）は、前記少なくとも１つの特定の記憶された識別コードに一致す識別コードを有する車両へ起動信号を送ることから成る。
【００１７】
好適には、ステップｃ）は、前記少なくとも１つの特定の記憶された識別コードに一致する識別コードを有する車両の位置を信号送信するステップｄ）を含む。
【００１８】
好適には、通信方法は、また、少なくとも１つの特定の識別コードを受け取り、それを記憶するステップａ）を包含する。
【００１９】
好適には、前記ステップａ）は、例えばコントロールセンターから、少なくとも１つの特定の識別コードを受け取ることから成る。
【００２０】
前記少なくとも１つの特定の識別コードは、例えば、盗まれた車両の、あるいは、どんな場合でもその位置を定めることが必要とされる車両の少なくとも１つの識別コードであり得る。
【００２１】
このように、盗難の場合には、盗まれてしまったりその位置を定めることが必要とされる車両に対応する少なくとも１つの特定の識別コードを、コントロールセンターへ送るか通信することが可能である。
【００２２】
その後、コントロールセンターは、前記少なくとも１つの特定の識別コードを複数の車両に送り、この識別コードは各車両によって受け取られ記憶される。
【００２３】
代りとして、盗まれた車両は、盗まれてしまったことを自動的に認め、その結果、識別コードに、この情報、すなわち車両が盗まれてしまったという事実を記憶することができる。
【００２４】
車両が別の車両の近くにいる度に、２つの車両の各々は他方の車両の識別コードを自動的に検知し、それを前記少なくとも１つの特定の識別コードと比較する。
【００２５】
比較が肯定的な場合、すなわち盗まれた車両の存在が検知された場合に、他方の車両は、任意には車両の現在位置と一緒に、警告信号をコントロールセンターへ送ることができる。
【００２６】
通信方法は、好適には、前記少なくとも１つの特定の記憶された識別コードに一致する識別コードを有する車両における位置指示器を起動するステップｅ）を包含する。
【００２７】
このように、盗まれた車両は、常時無線信号を伝送し、その結果車両の所在地を認めることを可能にすることができる。
【００２８】
実際、無線信号はコントロールセンターで受信され、コントロールセンターは前記無線信号の三角測量によって位置を確証することができる。
【００２９】
さらに、通信方法は、好適には、前記車両が移動している場合にその方向を識別するために、前記少なくとも１つの特定の記憶された識別コードに一致する識別コードを有する車両の位置のシーケンスをトレースするステップｆ）を含包含する。
【００３０】
本発明の他の様相によれば、通信システムは、各々が対応する車両に設置され且つ他の車両及び少なくとも１つのコントロールセンターと通信することができる複数のユニットを包含する車両のために提供される。
【００３１】
各ユニットは、１〜１０ＧＨｚの周波数帯で作動する無線通信手段を含む。
【００３２】
好適には、前記無線通信手段は低消費電力で、１０ｍＷ以下の電力で作動する。
例えば、前記無線通信手段は、用語「ブルートゥース（Blue Tooth）」で知られているタイプの無線通信手段であり得る。
【００３３】
各ユニットは、車両の所在地のために、別の車両のユニットによって自動的に検知することができる識別コードを備えている。
【００３４】
好適には、前記無線通信手段は、近くにいる別の車両の識別コードを自動的に検知することができる。
【００３５】
このように、識別コードが記憶された識別コードに一致するかどうかを自動的にチェックし、これをコントロールセンターに信号送信することが可能である。
従って、本発明による移動ユニットのための通信方法は、前述した目的を達成していることがわかる。
【００３６】
こうして考えられた本発明による移動ユニットのための通信方法は、同じ発明概念の中に含まれる幾多の修正及び変形が可能である。
【００３７】
さらに、実際上、使用される材料及びその寸法及び成分は、技術的要求に応じていかなるものであってもよい。
【外国語明細書】
2007124480.tif 000002
2007124480.tif 000003
2007124480.tif 000004
2007124480.tif 000005
2007124480.tif 000006
2007124480.tif 000007
2007124480.tif 000008
2007124480.tif 000009
2007124480.tif 000010
2007124480.tif 000011